(57)【要約】      （修正有）【課題】コンパクトでありながらも組立が簡単なバッテリパックを提供する。【解決手段】第１バッテリ４３０及び第２バッテリ４５０を含む複数のバッテリ４１０、４２０、４３０、４５０、並びに主面２１０、及び主面から延長された突出面２２０を含み、主面は、第１バッテリの一面に位置し、突出面は、第２バッテリに位置する回路基板２００を含み、第２バッテリは、突出面を介して、回路基板と電気的に連結される、バッテリパック。【選択図】図４
2017174808.tif 000002
【特許請求の範囲】
【請求項１】
第１バッテリ及び第２バッテリを含む複数のバッテリと、
主面、及び前記主面から延長された突出面を含み、前記主面は、前記第１バッテリの一面に位置し、前記突出面は、前記第２バッテリに位置する回路基板と、を含み、
前記第２バッテリは、前記突出面を介して、前記回路基板と電気的に連結されることを特徴とするバッテリパック。
【請求項２】
前記第２バッテリの第１電極を、前記複数のバッテリのうち１つのバッテリと電気的に連結する連結リードタブと、
前記第２バッテリの第２電極と連結された第２電極リードタブと、をさらに含み、
前記連結リードタブ及び前記第２電極リードタブのうち少なくとも一つは、前記突出面に電気的に連結されることを特徴とする請求項１に記載のバッテリパック。
【請求項３】
前記第１バッテリを収納する第１ホルダと、
前記第２バッテリを収納する第２ホルダと、をさらに含み、
前記回路基板は、前記第１ホルダに固定されることを特徴とする請求項１に記載のバッテリパック。
【請求項４】
前記回路基板は、前記第１バッテリが固定された面の反対面において、前記第１ホルダに固定されることを特徴とする請求項３に記載のバッテリパック。
【請求項５】
前記第１ホルダは、
前記回路基板の前記主面に結合される基板固定部を含むことを特徴とする請求項４に記載のバッテリパック。
【請求項６】
前記回路基板は、
前記複数のバッテリの充電及び／または放電を制御するための回路を含むことを特徴とする請求項１に記載のバッテリパック。
【請求項７】
互いに電気的に連結された第１バッテリ、第２バッテリ及び第３バッテリを含む複数のバッテリと、
主面、及び前記主面から延長された突出面を含み、前記主面は、前記第１バッテリの一面に位置し、前記突出面は、前記第２バッテリに位置する回路基板と、を含み、
前記第２バッテリは、前記突出面を介して、前記回路基板と電気的に連結されるバッテリパック。
【請求項８】
前記第１バッテリの第２電極と、前記第３バッテリの第１電極とを連結する第１連結リードタブと、
前記第２バッテリの第１電極と、前記第３バッテリの第２電極とを連結する第２連結リードタブと、をさらに含み、
前記第１連結リードタブは、前記回路基板の主面に電気的に連結され、
前記第２連結リードタブは、前記回路基板の突出面に電気的に連結されることを特徴とする請求項７に記載のバッテリパック。
【請求項９】
前記第２バッテリの第２電極と連結される電極リードタブをさらに含み、
前記電極リードタブは、前記回路基板の突出面に電気的に連結されることを特徴とする請求項８に記載のバッテリパック。
【請求項１０】
前記第１連結リードタブは、
半分に折り畳まれ、一方が、前記第１バッテリの第２電極に固定され、他方が、前記第３バッテリの第１電極に固定されるリード本体と、
前記リード本体から延長され、前記回路基板の前記主面に挿入される延長部と、を含むことを特徴とする請求項８に記載のバッテリパック。
【請求項１１】
前記複数のバッテリ、及び前記回路基板を収納するハウジングをさらに含み、
前記ハウジングは、前記回路基板と対向する第１面を含み、
前記第１面は、前記回路基板と平行であることを特徴とすることを特徴とする請求項７に記載のバッテリパック。
【請求項１２】
前記ハウジングは、前記第２バッテリと対向する第２面をさらに含み、
前記第２面は、前記第１面の横に位置することを特徴とする請求項１１に記載のバッテリパック。
【請求項１３】
前記ハウジングは、前記第２バッテリと対向する第２面をさらに含み、
前記ハウジングの前記第２面は、前記第１面の高さにおいて、外側に凸状となる曲面を含むことを特徴とする請求項１１に記載のバッテリパック。
【請求項１４】
前記ハウジングの前記第２面の凸状曲面は、対向する前記第２バッテリの面に平行であることを特徴とする請求項１３に記載のバッテリパック。
【請求項１５】
前記第１バッテリを収納し、前記第１バッテリが収納される面の反対面に、前記回路基板を収納する第１ホルダと、
前記第２バッテリを収納し、前記第２バッテリが収納される面の反対面に、前記第３バッテリを収納する第２ホルダと、を含み、
前記ハウジングは、
前記第１バッテリ及び前記第３バッテリと対向するベースをさらに含むことを特徴とする請求項１１に記載のバッテリパック。
【発明の詳細な説明】
【技術分野】
【０００１】
本発明は、バッテリパックに係り、さらに詳細には、二次電池を具備したバッテリパックに関する。
【背景技術】
【０００２】
一般的に、二次電池は、充放電が可能であり、反復的に使用することができる電池である。前記二次電池は、発電所のような既存の電力系はもとより、太陽エネルギーのようなその他の新再生エネルギーをエネルギー源にして充電される。このような二次電池は、携帯電話やノート型パソコン、及びカムコーダのような電子機器はもとより、自動車や、電力供給が必要な大型設備にエネルギー源として使用されている。
【０００３】
必要がある場合には、高出力または高容量を具現するために、複数の前記二次電池を、直列及び／または並列に連結して構成する。また、必要がある場合には、二次電池の充電及び／または放電を制御し、過充電及び／または過放電を防止するコントローラをさらに含んでもよい。
【発明の概要】
【発明が解決しようとする課題】
【０００４】
本発明が解決しようとする課題は、コンパクトなバッテリパックを提供することである。
【０００５】
また、本発明が解決しようとする課題は、組み立てが簡単なバッテリパックを提供することである。
【課題を解決するための手段】
【０００６】
本発明の一実施形態として、第１バッテリ及び第２バッテリを含む複数のバッテリと、回路基板とを含み、前記回路基板は、主面、及び前記主面から延長された突出面を含むバッテリパックが提供される。前記主面は、前記第１バッテリの一面に位置し、前記突出面は、前記第２バッテリに位置し、前記第２バッテリは、前記突出面を介して、前記回路基板と電気的に連結される。
【０００７】
一実施形態として、前記第２バッテリの第１電極を、前記複数のバッテリのうち１つのバッテリと電気的に連結する連結リードタブ、及び前記第２バッテリの第２電極と連結された第２電極リードタブをさらに含んでもよい。そして、前記連結リードタブ及び前記第２電極リードタブのうち少なくとも一つは、前記突出面に電気的に連結される。
【０００８】
一実施形態として、前記第１バッテリを収納する第１ホルダ、及び前記第２バッテリを収納する第２ホルダをさらに含んでもよい。このとき、前記回路基板は、前記第１ホルダに固定される。
【０００９】
一実施形態として、前記回路基板は、前記第１バッテリが固定された面の反対面で、前記第１ホルダに固定される。
【００１０】
一実施形態として、前記第１ホルダは、前記回路基板の前記主面に結合される基板固定部を含んでもよい。
【００１１】
一実施形態として、前記回路基板は、前記複数のバッテリの充電及び／または放電を制御するための回路を含んでもよい。
【００１２】
一方、本発明の他の実施形態として、互いに電気的に連結された第１バッテリ、第２バッテリ及び第３バッテリを含む複数のバッテリと、回路基板とを含み、前記回路基板は、主面、及び前記主面から延長された突出面を含み、前記主面は、前記第１バッテリの一面に位置し、前記突出面は、前記第２バッテリに位置し、前記第２バッテリは、前記突出面を介して、前記回路基板と電気的に連結されるバッテリパックが提供される。
【００１３】
一実施形態として、前記第１バッテリの第２電極と、前記第３バッテリの第１電極とを連結する第１連結リードタブ、及び前記第２バッテリの第１電極と、前記第３バッテリの第２電極とを連結する第２連結リードタブをさらに含んでもよい。
【００１４】
前記第１連結リードタブは、前記回路基板の主面に電気的に連結され、前記第２連結リードタブは、前記回路基板の突出面に電気的に連結される。
【００１５】
一実施形態として、前記第２バッテリの第２電極と連結される電極リードタブをさらに含み、前記電極リードタブは、前記回路基板の突出面に電気的に連結される。
【００１６】
一実施形態として、前記第１連結リードタブは、半分に折り畳まれ、一方が、前記第１バッテリの第２電極に固定され、他方が、前記第３バッテリの第１電極に固定されるリード本体、及び前記リード本体から延長される延長部を含んでもよい。そして、前記延長部は、前記回路基板の前記主面に挿入される。
【００１７】
一実施形態において、前記複数のバッテリ、及び前記回路基板を収納するハウジングをさらに含んでもよい。前記ハウジングは、前記回路基板と対向する第１面を含み、前記第１面は、前記回路基板と平行である。
【００１８】
一実施形態として、前記ハウジングは、前記第２バッテリと対向する第２面をさらに含み、前記第２面は、前記第１面の横に位置することができる。
【００１９】
一実施形態として、前記ハウジングは、前記第２バッテリと対向する第２面をさらに含み、前記ハウジングの前記第２面は、前記第１面の高さにおいて、外側に凸状となる曲面を含んでもよい。
【００２０】
一実施形態として、前記ハウジングの前記第２面の凸状曲面は、対向する前記第２バッテリの面に平行である。
【００２１】
一実施形態において、前記第１バッテリを収納し、前記第１バッテリが収納される面の反対面に、前記回路基板を収納する第１ホルダ、及び前記第２バッテリを収納し、前記第２バッテリが収納される面の反対面に、前記第３バッテリを収納する第２ホルダをさらに含んでもよい。
【００２２】
一実施形態として、前記ハウジングは、前記第１バッテリ及び前記第３バッテリと対向するベースをさらに含んでもよい。
【発明の効果】
【００２３】
本発明によれば、コンパクトでありながらも組み立てが簡単なバッテリパックが得られる。
【図面の簡単な説明】
【００２４】
【図１】本発明の一実施形態を図示した斜視図である。
【図２】図１の実施形態の分解斜視図である。
【図３】図２の回路基板が固定されたバッテリ組立体の上面図である。
【図４】図３のバッテリ組立体を図示した斜視図である。
【図５】図４のバッテリ組立体の背面斜視図である。
【図６】図４のバッテリ組立体の側面斜視図である。
【図７】複数のバッテリがバッテリホルダに固定された後、リードタブによって電気的に連結された様子を図示した斜視図である。
【図８】図７のように連結されたバッテリ組立体のリードタブが折り曲げられる様子を図示した斜視図である。
【発明を実施するための形態】
【００２５】
本発明の利点、特徴、及びそれらを達成する方法は、添付される図面と共に、詳細に説明する実施形態を参照すれば、明確になるであろう。しかし、本発明は、以下で開示される実施形態に限定されるものではなく、互いに異なる多様な形態に具現され、以下の説明において、ある部分が他の部分と連結されているとするとき、それは、直接に連結されている場合だけではなく、その中間に、他の素子を挟んで電気的に連結されている場合も含む。また、図面において、本発明と関係ない部分は、本発明の説明を明確にさせるために省略され、明細書全体を通じて、類似した部分については、同一図面符号を付した。
【００２６】
以下、添付された図面を参照し、本発明が属する技術分野で当業者が、本発明を容易に実施することができるように、実施形態について詳細に説明する。
【００２７】
図１は、本発明の一実施形態を図示した斜視図であり、図２は、図１の実施形態の分解斜視図であり、図３は、図２の回路基板が固定されたバッテリ組立体の上面図である。本発明の一実施形態によるバッテリパックは、ハウジング１１０，１２０、複数のバッテリホルダ１３０，１４０、複数のバッテリ４１０，４２０，４３０，４４０，４５０、回路基板２００、及び回路基板と電気的に連結されて外部に延長されるコネクタ３１０を含む。
【００２８】
前記ハウジング１１０，１２０は、バッテリ組立体が載置されるベース１１０、及び前記ベース１１０に結合され、バッテリ組立体を覆うハウジングカバー１２０を含む。前記バッテリ組立体については、後述する。
【００２９】
前記ベース１１０の本体１１１は、上に開放されたほぼボックス形状である。前記ベース１１０は、前記コネクタ３１０が通過する開口１２２を部分的に塞ぐ開口栓１１２を含む。
【００３０】
前記ベース１１０の内側底面には、バッテリ４１０，４２０，４３０，４４０を支持する複数のリブ１１７が上方に突出される。前記複数のリブ１１７は、円筒状のバッテリ側面が載置されるように、上端が凹状である。前記ベース１１０は、前記バッテリ４１０，４２０，４３０，４４０の長手方向に沿って、前記複数のリブ１１７を横切る横壁１１６をさらに具備することができる。前記横壁１１６は、前記複数のリブ１１７を支持する。
【００３１】
前記ハウジングカバー１２０の本体１２１は、前記ベース１１０と結合されて内部空間を形成するように、下に開放されたほぼボックス形状である。前記ハウジングカバー１２０の上面は、第１面１２５及び第２面１２４を含む。
【００３２】
前記第１面１２５は、前記回路基板２００の主面に対応する面であり、前記回路基板２００の上面シルエットに沿ってほぼ平坦である。前記第１面１２５は、対向する前記回路基板２００の主面と実質的に平行である。
【００３３】
前記第２面１２４は、前記第２バッテリ４５０に対向する面である。前記第２面１２４は、前記第１面１２５の横に位置し、前記第１面１２５の高さより上方に凸状に突出している。前記第２面１２４の突出された部分は、円筒状の第２バッテリ４５０のシルエットに沿って、部分的に凸状曲面を含む。実質的に、前記第２面１２４の曲面部分は、前記第２バッテリ４５０と平行である。
【００３４】
前記ベース１１０の枠と、前記ハウジングカバー１２０の枠１２３は、フック結合することができる。例えば、前記ベース１１０の枠は、複数の結合リブ１１３を具備し、前記ハウジングカバー１２０は、枠１２３の内面に溝（図示せず）や段差（図示せず）が形成され、前記結合リブ１１３と噛み合うことができる。前記結合リブ１１３は、外側にフックが形成された形状でもある。
【００３５】
ただし、それに限定されるものではなく、前記ハウジングカバー１２０の枠１２３に結合リブが具備され、前記ベース１１０の枠内面に溝または段差が形成されてもよい。また、前記ベース１１０と前記ハウジングカバー１２０は、フック結合ではなく、スクリューによる結合やその他締結方式によって互いに結合されてもよい。
【００３６】
前記ハウジングカバー１２０の枠１２３には、開口１２２が形成され、前記開口１２２を介して、前記コネクタ３１０が外部に延長される。
【００３７】
複数のバッテリ４１０，４２０，４３０，４４０，４５０は、第１バッテリ４３０、第２バッテリ４５０、第３バッテリ４４０、第４バッテリ４２０、第５バッテリ４１０を含む。第１バッテリないし第５バッテリは、何回も充電が可能な二次電池である。
【００３８】
本実施形態においては、５個のバッテリが互いに直列連結されるが、バッテリの個数や連結方式は、それらに限定されるものではない。本発明の思想は、回路基板の主面に、１つのバッテリが位置し、回路基板の突出面に、他の１つのバッテリが位置し、回路基板の突出面に位置するバッテリは、突出面を介して、回路基板に電気的に連結された２個以上のバッテリに適用される。また、本発明の思想は、２個以上のバッテリが並列連結された場合にも適用される。
【００３９】
前記複数のバッテリ４１０，４２０，４３０，４４０，４５０は、第１電極板及び第２電極板の間にセパレータを介在させた電極組立体を、電解液と共に円筒状のカンに密封したものである。前記複数のバッテリ４１０，４２０，４３０，４４０，４５０は、電解液と反応し、電気化学エネルギーを発生させるいかなる構成の電池でもよく、例えば、リチウムポリマー電池またはリチウムイオン電池でもある。このような電池の具体的な構成は、公知されたものであり、詳細な説明を省略する。
【００４０】
説明の便宜上、以下では、前記複数のバッテリ４１０，４２０，４３０，４４０，４５０において、リードタブと直接に連結された部分を、円筒の長手方向両端部と称し、両端部間の曲面を側面と称する。前記複数のバッテリの長手方向両端部のうち一つは、第１電極端子であり、他の一つは、第２電極端子である。
【００４１】
複数のバッテリホルダ１３０，１４０は、前記複数のバッテリを収納する。前記複数のバッテリホルダは、第１バッテリ４３０及び第４バッテリ４２０を収納する第１ホルダ１４０と、第２バッテリ４５０、第３バッテリ４４０及び第５バッテリ４１０を収納する第２ホルダ１３０と、を含む。
【００４２】
前記第１ホルダ１４０は、前記第１バッテリ４３０が結合される第１バッテリ収納部１４２、及び前記第４バッテリ４２０が結合される第４バッテリ収納部１４１を含む。そして、前記第１ホルダ１４０は、回路基板２００を固定する複数の基板固定部１５１，１５２，１５３，１５４を含む。
【００４３】
図２を参照すれば、前記第１ホルダ１４０は、前記ベース１１０に向かう面に、前記第１バッテリ４３０及び前記第４バッテリ４２０が結合され、前記ハウジングカバー１２０に向かう面に、前記回路基板２００が位置する。説明の便宜のために、以下では、前記ベース１１０に向かう側を、前記第１ホルダ１４０の下面と称し、前記ハウジングカバー１２０に向かう側を、前記第１ホルダ１４０の上面と称する。
【００４４】
前記第１バッテリ収納部１４２は、前記第１バッテリ４３０の側面を、部分的に１８０°以上覆い包むことができるほどに凹状に湾曲された内面を具備する。前記第１バッテリ４３０は、前記第１バッテリ収納部１４２に、強制的に嵌め込み結合される。前記第４バッテリ収納部１４１も、前記第４バッテリ４２０の側面を部分的に１８０°以上覆い包むことができるほどに凹状に湾曲された内面を具備する。前記第４バッテリ４３０は、前記第４バッテリ収納部１４１に強制的に嵌め込み結合される。
【００４５】
前記第１ホルダ１４０に収納された前記第１バッテリ４３０と、前記第４バッテリ４２０は、互いに平行に配置される。前記第１バッテリ４３０及び第４バッテリ４２０は、前記ベース１１０の複数のリブ１１７によって支持される。
【００４６】
前記第１バッテリ収納部１４２と前記第４バッテリ収納部１４１は、長手方向に、両端がそれぞれ連結部１４３によって互いに連結される。前記第１バッテリ収納部１４２、前記連結部１４３及び前記第４バッテリ収納部１４１によって取り囲まれる中間部分は、切開され、前記第１バッテリ４３０の側面と、前記第４バッテリ４２０の側面とが前記中間部分を介して部分的に露出される。
【００４７】
前記第１ホルダ１４０の上面には、前記複数の基板固定部１５１，１５２，１５３，１５４が具備される。前記複数の基板固定部１５１，１５２，１５３，１５４は、上方に延長され、回路基板２００の主面２１０に結合される。ただし、本実施形態においては、４個の基板固定部１５１，１５２，１５３，１５４が具備されるが、それに限定されるものではなく、その個数は、必要によって増減する。
【００４８】
前記複数の基板固定部１５１，１５２，１５３，１５４は、４個のほぼ棒形状の基板固定部を含む。前記複数の基板固定部のうち２つの基板固定部１５１，１５２は、第４バッテリ収納部１４１の上面に位置し、残りの２つの基板固定部１５３，１５４は、第１バッテリ収納部１４２の上面に位置する。
【００４９】
前記複数の基板固定部１５１，１５２，１５３，１５４は、前記第１ホルダ１４０の上面で上に延長され、前記回路基板２００の主面２１０枠と出合う。前記第４バッテリ収納部１４１の上面に位置した基板固定部１５１，１５２と、前記第１バッテリ収納部１４２の上面に位置した基板固定部１５３，１５４は、前記主面２１０の幅方向の幅ほどの間隔で配置され、その間に、主面２１０が固定される。前記回路基板の主面の幅方向は、前記第１バッテリ４３０の幅方向と平行であり、前記第１バッテリ４３０の長手方向に垂直方向と定義される。
【００５０】
前記複数の基板固定部１５１，１５２，１５３，１５４は、前記回路基板２００の主面２１０枠と出合う部分に、それぞれフック１５６，１５７，１５８，１５９を具備し、前記回路基板２００を、前記基板固定部１５１，１５２，１５３，１５４に固定する。前記複数の基板固定部１５１，１５２，１５３，１５４は、前記回路基板２００の底面を支持するように、内側に水平に延長される支えリブがさらに具備される。そして、前記複数の基板固定部１５１，１５２，１５３，１５４は、反らずに棒形状が維持されるように、外側面に沿って延長される補強リブがさらに具備される。
【００５１】
前記第２ホルダ１３０は、前記第２バッテリ４５０が結合される第２バッテリ収納部１３４，１３５、前記第３バッテリ４４０が結合される第３バッテリ収納部１３２、及び前記第５バッテリ４１０が結合される第５バッテリ収納部１３１を含む。
【００５２】
図２を参照すれば、前記第２ホルダ１３０は、前記ベース１１０に向かう面に、前記第３バッテリ４４０及び前記第５バッテリ４１０が結合され、前記ハウジングカバー１２０に向かう面に、前記第２バッテリ４５０が結合される。説明の便宜のために、以下では、前記ベース１１０に向かう側を、前記第２ホルダ１３０の下面と称し、前記ハウジングカバー１２０に向かう側を、前記第２ホルダ１３０の上面と称する。
【００５３】
前記第３バッテリ収納部１３２は、前記第３バッテリ４４０の側面を部分的に１８０°以上覆い包むことができるほどに凹状に湾曲された内面を具備する。前記第３バッテリ４４０は、前記第３バッテリ収納部１３２に強制的に嵌め込み結合される。前記第５バッテリ収納部１３１は、前記第５バッテリ４１０の側面を部分的に１８０°以上覆い包むことができるほどに凹状に湾曲された内面を具備する。前記第５バッテリ４１０は、前記第５バッテリ収納部１３１に強制的に嵌め込み結合される。
【００５４】
前記第３バッテリ収納部１３２と、前記第５バッテリ収納部１３１は、連結部１３３によって連結される。そして、前記第２ホルダ１３０の上面には、前記第２バッテリ収納部１３４，１３５が具備される。前記第２バッテリ収納部１３４，１３５は、前記第３バッテリ収納部１３１と、前記第５バッテリ収納部１３１との間の凹状部分に、前記第２バッテリ４５０が位置するように具備され、前記第２バッテリ４５０の側面を部分的に１８０°以上覆い包むことができるほどに凹状に湾曲された内面を具備する。前記第２バッテリ４５０は、前記第２バッテリ収納部１３４，１３５に強制的に嵌め込み結合される。
【００５５】
前記第２ホルダ１３０に収納された、第３バッテリ４４０と第５バッテリ４１０は、互いに平行に配置される。前記第３バッテリ４４０及び第５バッテリ４１０は、前記ベース１１０の複数のリブ１１７によって支持される。そして、前記第２バッテリ４５０は、前記第３バッテリ４４０及び第５バッテリ４１０間の凹状空間に収納される。
【００５６】
前述の構成によって、複数のバッテリをコンパクトに配置することができ、バッテリパックが小型化される。
【００５７】
前記第１ホルダ１４０及び前記第２ホルダ１３０にそれぞれ結合された第１バッテリないし第５バッテリは、複数のリードタブ３３０，３４０，３５０，３６０，３７０，３８０によって互いに直列連結され、前記回路基板２００に電気的に連結される。前記第１バッテリないし第５バッテリが、前記第１ホルダ及び第２ホルダに収納され、前記複数のリードタブによって互いに直列連結された状態をバッテリ組立体と定義することができる。
【００５８】
図７及び図８は、前記バッテリ組立体の製造方法について説明するための斜視図である。図７及び図８を共に参照し、前記バッテリ組立体の構成について詳細に説明する。ただし、図７及び図８は、組み立て過程にあるバッテリ組立体を図示したものであり、本発明のバッテリ組立体は、実質的に、図５及び図６に図示された構成であるということを理解することができるであろう。
【００５９】
前記複数のリードタブは、直列連結された複数のバッテリの第１電極端子になる第１電極端子リードタブ３３０と、直列連結された複数のバッテリの第２電極端子になる第２電極端子リードタブ３８０を含む。また、前記複数のリードタブは、前記第１バッテリ４３０及び前記第３バッテリ４４０を直列連結する第１連結リードタブ３６０、前記第３バッテリ４４０及び前記第２バッテリ４５０を直列連結する第２連結リードタブ３７０、前記第１バッテリ４３０及び前記第４バッテリ４２０を直列連結する第３連結リードタブ３５０、前記第５バッテリ４１０及び前記第４バッテリ４２０を直列連結する第４連結リードタブ３４０を含む。
【００６０】
前記第１電極端子リードタブ３３０と前記第２電極端子リードタブ３８０は、それぞれ円形のリード本体３３１，３８１、前記リード本体から延長される延長部３３２，３８２、及び前記延長部の端で折り曲げられた曲折部３３３，３８３を含む。前記第２電極端子リードタブ３８０の曲折部３８３は、前記回路基板２００の突出部２２０に具備される連結部２２６に挿入され、前記回路基板２００と電気的に連結される。前記第２電極端子リードタブ３８０の曲折部３８３と、前記回路基板の突出部２２０に具備された連結部２２６は、溶接によって固定される。
【００６１】
前記第１連結リードタブ３６０、第２連結リードタブ３７０、第３連結リードタブ３５０及び第４連結リードタブ３４０は、前記複数のバッテリをモニタリングするために、それぞれ前記回路基板２００と電気的に連結される。前記第１連結リードタブないし第４連結リードタブは、それぞれ対応するバッテリを互いに電気的に連結するリード本体３６１，３７１，３５１，３４１、前記リード本体から延長される延長部３６２，３７２，３５２，３４２、及び前記延長部の端で折り曲げられる曲折部３６３，３７３，３５３，３４３を含む。前記第２連結リードタブの曲折部３６３、前記第３連結リードタブの曲折部３５３、前記第４連結リードタブの曲折部３４３は、それぞれ前記回路基板２００の主面２１０に具備された連結部２１６，２１７，２８１にそれぞれ挿入される。
【００６２】
前記連結リードタブの端部が折り曲げられ、前記回路基板に挿入されることにより、前記連結リードタブに連結されたバッテリと、前記回路基板とが簡単に電気的に連結される。
【００６３】
前述のように、前記回路基板２００は、前記複数のバッテリ４１０，４２０，４３０，４４０，４５０と電気的に連結され、少なくとも１つの素子（図示せず）を実装し、前記複数のバッテリを制御することができる。
【００６４】
前記回路基板２００は、前記第１ホルダ１４０に固定される主面２１０と、前記主面から突出し、前記第２ホルダ１３０に位置する突出面２２０と、を含む。前記回路基板２００が、前記第１ホルダに固定されながらも、前記第２ホルダまで延長され、前記第２電極端子リードタブ３８０によって、前記第２バッテリと電気的に連結されるので、バッテリ組立体の形状が維持される。
【００６５】
すなわち、図８のように、矢印方向に、第１ホルダ１４０に固定されたバッテリが回転されながら、第１連結リードタブ３６０と、第４連結リードタブ３４０との中間部分が反り、図５及び図６のようなバッテリ組立体の形状になる。リードタブは、金属材質であり、弾性力があるので、前記回路基板２００の主面２１０は、前記第１ホルダ１４０に固定され、突出面２２０は、前記第２電極端子リードタブ３８０を介して、前記第２バッテリ４５０に固定される。したがって、図５及び図６のバッテリ組立体形状が維持されるという効果がある。
【００６６】
前記回路基板２００に実装され、制御機能を遂行する回路の一実施形態として、前記少なくとも１つの素子は、前記複数のバッテリの保護回路を構成することができる。保護回路とは、二次電池の電圧または電流を制御することにより、充放電の制御はもとより、過充電、過放電、短絡、逆電圧などを遮断し、電池を保護することができる回路である。
【００６７】
例えば、前記保護回路を構成するために、前記少なくとも１つの素子は、電界効果トランジスタ（ＦＥＴ：field effect transistor）、集積回路（integrated circuit）、陽性温度素子（ＰＴＣ：positive temperature coefficient）、スイッチング素子などを含み、充放電を制御して回路を遮断することができる。
【００６８】
図２及び図３において、未説明の図面番号３２１，３２２は、リードタブ３３０，３７０の延長部３３２，３７２に接続された配線であり、リードタブ３３０，３７０と回路基板２００とを電気的に連結するための配線を示す。なお、図３及び図４において、未説明の図面番号１３８，１３９は、配線３２１，３２２の装着位置を固定させるためのガイド部を示す。また、図４において、未説明の図面番号２１１〜２１４は、基板固定部１５１〜１５４と結合される回路基板２００の締結部を示す。
【産業上の利用可能性】
【００６９】
本発明のバッテリパックは、例えば、電源関連の技術分野に効果的に適用可能である。
【符号の説明】
【００７０】
１０    バッテリパック
１１０，１２０    ハウジング
１１２    開口栓
１２２    開口
１３０，１４０    バッテリホルダ
２００    回路基板
３１０    コネクタ
３３０，３４０，３５０，３６０，３７０，３８０：リードタブ
４１０，４２０，４３０，４４０，４５０    バッテリ
【図１】
2017174808.tif 000003
【図２】
2017174808.tif 000004
【図３】
2017174808.tif 000005
【図４】
2017174808.tif 000006
【図５】
2017174808.tif 000007
【図６】
2017174808.tif 000008
【図７】
2017174808.tif 000009
【図８】
2017174808.tif 000010